(57)【要約】【課題】携帯電話機を見ることなく、着信情報を知ることができ、着信相手に通話する操作を行うことのできる無線通信機能付ヘッドセットを提供すること【解決手段】本発明にかかる無線通信機能付ヘッドセット２は、携帯電話機１との間で無線通信を行う無線通信機能付ヘッドセットである。無線通信機能付ヘッドセット２は、携帯電話機１から着信履歴情報の受信を行う無線通信手段と、無線通信手段により受信した着信履歴情報を格納する記憶手段と、記憶手段に格納された着信履歴情報の全部又は一部の表示を行う表示手段を備える。このような構成により、携帯電話機を見ることなく着信情報を知ることが可能となる。【選択図】図２
2005323265.tif 000002
【特許請求の範囲】
【請求項１】
携帯電話機との間で無線通信を行う無線通信機能付ヘッドセットであって、
携帯電話機から着信履歴情報の受信を行う無線通信手段と、
前記無線通信手段により受信した着信履歴情報を格納する記憶手段と、
前記記憶手段に格納された着信履歴情報の全部又は一部の表示を行う表示手段を備えた無線通信機能付ヘッドセット。
【請求項２】
携帯電話機との間で無線通信を行う無線通信機能付ヘッドセットであって、
携帯電話機から着信履歴情報の受信を行う無線通信手段と、
前記無線通信手段により受信した着信履歴情報を格納する記憶手段と、
前記記憶手段に格納された着信履歴情報の全部又は一部を音声により通知する音声出力手段を備えた無線通信機能付ヘッドセット。
【請求項３】
前記無線通信機能付ヘッドセットは、更に、
前記着信履歴情報を削除する指示を入力する入力手段と、
前記入力手段により、前記着信履歴情報を削除する指示が入力された場合に、前記記憶手段に格納された前記着信履歴情報を削除する制御手段を備えることを特徴とする請求項１又は２に記載の無線通信機能付ヘッドセット。
【請求項４】
前記無線通信機能付ヘッドセットは、更に、
前記着信履歴情報に記録された着信相手に電話をかける指示を入力する入力手段と、
前記入力手段により、前記着信履歴情報に記録された着信相手に電話をかける指示が入力された場合に、前記無線通信手段により、前記携帯電話機を介して前記着信履歴情報に記録された着信相手に電話をかける制御手段を備えることを特徴とする請求項１又は２に記載の無線通信機能付ヘッドセット。
【請求項５】
前記無線通信手段は、ブルートゥース（Bluetooth：登録商標）による無線通信であることを特徴とする請求項１乃至４に記載の無線通信機能付ヘッドセット。
【請求項６】
携帯電話機と無線通信機能付ヘッドセットを備えた無線通信システムであって、
前記携帯電話機は、他の電話機からの着信についての情報である着信履歴情報を記憶する記憶手段と、前記記憶手段に記憶された着信履歴情報を前記無線通信機能付ヘッドセットに送信する無線通信手段を備え、
前記無線通信機能付ヘッドセットは、前記携帯電話機から着信履歴情報の受信を行う無線通信手段と、前記無線通信手段により受信した着信履歴情報を格納する記憶手段と、前記記憶手段に格納された着信履歴情報の全部又は一部の表示を行う表示手段を備えた無線通信システム。
【請求項７】
携帯電話機と無線通信機能付ヘッドセットを備えた無線通信システムであって、
前記携帯電話機は、他の電話機からの着信についての情報である着信履歴情報を記憶する記憶手段と、前記記憶手段に記憶された着信履歴情報を前記無線通信機能付ヘッドセットに送信する無線通信手段を備え、
前記無線通信機能付ヘッドセットは、前記携帯電話機から着信履歴情報の受信を行う無線通信手段と、前記無線通信手段により受信した着信履歴情報を格納する記憶手段と、前記記憶手段に格納された着信履歴情報の全部又は一部を音声により通知する音声出力手段を備えた無線通信システム。
【請求項８】
前記無線通信機能付ヘッドセットは、更に、
前記着信履歴情報を削除する指示を入力する入力手段と、
前記入力手段により、前記着信履歴情報を削除する指示が入力された場合に、前記記憶手段に格納された前記着信履歴情報を削除する制御手段を備えることを特徴とする請求項６又は７に記載の無線通信システム。
【請求項９】
前記無線通信機能付ヘッドセットは、更に、
前記着信履歴情報に記録された着信相手に電話をかける指示を入力する入力手段と、
前記入力手段により、前記着信履歴情報に記録された着信相手に電話をかける指示が入力された場合に、前記無線通信手段により、前記携帯電話機を介して前記着信履歴情報に記録された着信相手に電話をかける制御手段を備えることを特徴とする請求項６又は７に記載の無線通信システム。
【請求項１０】
前記無線通信手段は、ブルートゥースによる無線通信であることを特徴とする請求項６乃至９に記載の無線通信システム。
【請求項１１】
携帯電話機との間で無線通信を行う無線通信装置であって、
携帯電話機から着信履歴情報の受信を行う無線通信手段と、
前記無線通信手段により受信した着信履歴情報を格納する記憶手段と、
前記記憶手段に格納された着信履歴情報の全部又は一部の表示を行う表示手段と、
前記着信履歴情報を削除する指示を入力する入力手段と、
前記入力手段により、前記着信履歴情報を削除する指示が入力された場合に、前記記憶手段に格納された前記着信履歴情報を削除する制御手段を備えた無線通信装置。
【請求項１２】
携帯電話機との間で無線通信を行う無線通信装置であって、
携帯電話機から着信履歴情報の受信を行う無線通信手段と、
前記無線通信手段により受信した着信履歴情報を格納する記憶手段と、
前記記憶手段に格納された着信履歴情報の全部又は一部を音声により通知する音声出力手段と、
前記着信履歴情報を削除する指示を入力する入力手段と、
前記入力手段により、前記着信履歴情報を削除する指示が入力された場合に、前記記憶手段に格納された前記着信履歴情報を削除する制御手段を備えた無線通信装置。
【発明の詳細な説明】
【技術分野】
【０００１】
本発明は、無線通信機能付ヘッドセット及び無線通信装置及び無線通信システムに関するものであり、より詳細には、携帯電話機と無線通信を行う無線通信機能付ヘッドセット及び無線通信装置及び無線通信システムに関する。
【背景技術】
【０００２】
無線通信技術は近年、多くの研究がなされており、その技術は急激に進化を遂げている。無線通信の代表的なものとして携帯電話が挙げられる。携帯電話は、その普及が目覚しく、今では通話以外の多くの機能を備えるようになってきた。携帯電話による無線通信は、主に遠距離の相手と音声やメールによる情報のやりとりを行う無線通信であるが、それとは別にＩｒＤＡ（Infrared Data Association）や、ブルートゥース（Bluetooth：登録商標）等の近距離用の無線通信も多くの研究がなされており、携帯電話機にも通話やメールのための無線通信機能とは別に、近くの端末と通信を行うために近距離用の無線通信機能を備えるものも多く見られるようになってきた。
【０００３】
中でも、ブルートゥースは近年特に注目されている無線通信技術であり、特に欧州を初めとして、ブルートゥースによる無線通信機能を内蔵した携帯電話機が出てくるようになってきた。ブルートゥース無線通信システムでは、マスターと呼ばれる無線通信を制御する側とスレーブと呼ばれる制御を受ける側に端末の役割が分かれ、マスターとスレーブ間で音声及びデータの送受信を行うことができる。また、ブルートゥース無線通信システムでは、１Ｍｂｐｓ程度の通信速度によりデータの送受信を行うことが可能であり、信頼性の高い２．４Ｇｈｚ帯域で動作する近距離無線通信が行われる。
【０００４】
携帯電話機にブルートゥースによる無線通信機能を内蔵するメリットとして、ヘッドセットを利用した通話が考えられる。通常、携帯電話機のみで音声通話を行おうとした場合、片手で携帯電話機を持って耳にあてながら音声通話を行わねばならず、片手が塞がってしまう。このような状態の場合、例えば車を運転しながらでは危険なため、法律による規制も行われるようになってきた。そこで、携帯電話機にヘッドセットを接続しヘッドセットにより音声通話を行う、いわゆるハンズフリー通話が行われるようになった。このヘッドセットにブルートゥースによる無線通信機能を利用する方法が提案されており（例えば、特許文献１など）、携帯電話機とヘッドセット間を線でつなぐ必要がなくなり、より便利なものとなっている。
【特許文献１】特開２００３−３２４５１７号公報
【発明の開示】
【発明が解決しようとする課題】
【０００５】
特許文献１に記載の通話装置は、配線の手間がかからず、しかも手で持つ必要もないまま携帯電話機による音声通話を行うことができるという大きなメリットがある。しかし、携帯電話機を持つことなく音声通話を行うことができるものの、不応答の着信があったときには携帯電話機を手にとって確認しなくてはならなかった。また、着信相手にこちらから電話をかけるときも、携帯電話機を手にとって操作しなくてはならず、例えば、車を運転しているときや、携帯電話機をカバンの中にいれたままヘッドセットによる音声通話を行っていたときにはこれらの操作は手間のかかるものであった。
【０００６】
本発明は、このような問題点を解決するためになされたものであり、携帯電話機を見ることなく、着信情報を知ることができ、着信相手に通話する操作を行うことのできる無線通信機能付ヘッドセットを提供することを目的とする。
【課題を解決するための手段】
【０００７】
本発明にかかる無線通信機能付ヘッドセットは、携帯電話機との間で無線通信を行う無線通信機能付ヘッドセットであって、携帯電話機から着信履歴情報の受信を行う無線通信手段と、前記無線通信手段により受信した着信履歴情報を格納する記憶手段と、前記記憶手段に格納された着信履歴情報の全部又は一部の表示を行う表示手段を備えた無線通信機能付ヘッドセットである。このような構成により、携帯電話機を見ることなく着信情報を知ることが可能となる。
【０００８】
本発明にかかる無線通信機能付ヘッドセットは、携帯電話機との間で無線通信を行う無線通信機能付ヘッドセットであって、携帯電話機から着信履歴情報の受信を行う無線通信手段と、前記無線通信手段により受信した着信履歴情報を格納する記憶手段と、前記記憶手段に格納された着信履歴情報の全部又は一部を音声により通知する音声出力手段を備えた無線通信機能付ヘッドセットである。このような構成により、携帯電話機を見ることなく着信情報を知ることが可能となる。
【０００９】
前記無線通信機能付ヘッドセットは、更に、前記着信履歴情報を削除するための指示を入力する入力手段と、前記入力手段により、前記着信履歴情報を削除する指示が入力された場合に、前記記憶手段に格納された前記着信履歴情報を削除する制御手段を備えることを特徴としてもよい。こうすることにより、一度見た着信履歴情報を再び見なくてもよくなり、視認性が増す。
【００１０】
前記無線通信機能付ヘッドセットは、更に、前記着信履歴情報に記録された着信相手に電話をかける指示を入力する入力手段と、前記入力手段により、前記着信履歴情報に記録された着信相手に電話をかける指示が入力された場合に、前記無線通信手段により、前記携帯電話機を介して前記着信履歴情報に記録された着信相手に電話をかける制御手段を備えることを特徴としてもよい。こうすることにより、携帯電話機を手に取ることなく、着信相手に電話をかけることが可能となる。
【００１１】
前記無線通信手段は、ブルートゥースによる無線通信であることを特徴としてもよい。
【００１２】
本発明にかかる無線通信システムは、携帯電話機と無線通信機能付ヘッドセットを備えた無線通信システムであって、前記携帯電話機は、他の電話機からの着信についての情報である着信履歴情報を記憶する記憶手段と、前記記憶手段に記憶された着信履歴情報を前記無線通信機能付ヘッドセットに送信する無線通信手段を備え、前記無線通信機能付ヘッドセットは、前記携帯電話機から着信履歴情報の受信を行う無線通信手段と、前記無線通信手段により受信した着信履歴情報を格納する記憶手段と、前記記憶手段に格納された着信履歴情報の全部又は一部の表示を行う表示手段を備えた無線通信システムである。このような構成により、携帯電話機を見ることなく着信情報を知ることが可能となる。
【００１３】
本発明にかかる無線通信システムは、携帯電話機と無線通信機能付ヘッドセットを備えた無線通信システムであって、前記携帯電話機は、他の電話機からの着信についての情報である着信履歴情報を記憶する記憶手段と、前記記憶手段に記憶された着信履歴情報を前記無線通信機能付ヘッドセットに送信する無線通信手段を備え、前記無線通信機能付ヘッドセットは、前記携帯電話機から着信履歴情報の受信を行う無線通信手段と、前記無線通信手段により受信した着信履歴情報を格納する記憶手段と、前記記憶手段に格納された着信履歴情報の全部又は一部を音声により通知する音声出力手段を備えた無線通信システムである。このような構成により、携帯電話機を見ることなく着信情報を知ることが可能となる。
【００１４】
前記無線通信機能付ヘッドセットは、更に、前記着信履歴情報を削除するための指示を入力する入力手段と、前記入力手段により、前記着信履歴情報を削除する指示が入力された場合に、前記記憶手段に格納された前記着信履歴情報を削除する制御手段を備えることを特徴としてもよい。こうすることにより、一度見た着信履歴情報を再び見なくてもよくなり、視認性が増す。
【００１５】
前記無線通信機能付ヘッドセットは、更に、前記着信履歴情報に記録された着信相手に電話をかける指示を入力する入力手段と、前記入力手段により、前記着信履歴情報に記録された着信相手に電話をかける指示が入力された場合に、前記無線通信手段により、前記携帯電話機を介して前記着信履歴情報に記録された着信相手に電話をかける制御手段を備えることを特徴としてもよい。こうすることにより、携帯電話機を手に取ることなく、着信相手に電話をかけることが可能となる。
【００１６】
前記無線通信手段は、ブルートゥースによる無線通信であることを特徴としてもよい。
【００１７】
本発明にかかる無線通信装置は、携帯電話機との間で無線通信を行う無線通信装置であって、携帯電話機から着信履歴情報の受信を行う無線通信手段と、前記無線通信手段により受信した着信履歴情報を格納する記憶手段と、前記記憶手段に格納された着信履歴情報の全部又は一部の表示を行う表示手段と、前記着信履歴情報を削除する指示を入力する入力手段と、前記入力手段により、前記着信履歴情報を削除する指示が入力された場合に、前記記憶手段に格納された前記着信履歴情報を削除する制御手段を備えた無線通信装置である。このような構成により、携帯電話機を見ることなく着信情報を知ることが可能となる。
【００１８】
本発明にかかる無線通信装置は、携帯電話機との間で無線通信を行う無線通信装置であって、携帯電話機から着信履歴情報の受信を行う無線通信手段と、前記無線通信手段により受信した着信履歴情報を格納する記憶手段と、前記記憶手段に格納された着信履歴情報の全部又は一部を音声により通知する音声出力手段と、前記着信履歴情報を削除する指示を入力する入力手段と、前記入力手段により、前記着信履歴情報を削除する指示が入力された場合に、前記記憶手段に格納された前記着信履歴情報を削除する制御手段を備えた無線通信装置である。このような構成により、携帯電話機を見ることなく着信情報を知ることが可能となる。
【発明の効果】
【００１９】
本発明によれば、携帯電話機を見ることなく、着信情報を知ることができ、着信相手に通話する操作を行うことのできる無線通信機能付ヘッドセットを提供することが可能となる。
【発明を実施するための最良の形態】
【００２０】
発明の実施の形態１．
図１は、本発明の実施の形態１にかかる無線通信システムの構成例を示す図である。携帯電話機１と無線通信機能付ヘッドセット２が無線通信により接続されている。携帯電話機１は、無線通信機能付ヘッドセット２と無線通信を行う無線通信機能を内蔵する。無線通信機器２はヘッドセットであり、携帯電話機１を介して無線通信による音声通話を行うことが可能である。また、図１の例では、携帯電話機１と無線通信機能付ヘッドセット２は１：１で接続されているが、１：ｎ、つまり無線通信機能付ヘッドセット２の他に他の無線通信機器が複数ある状態で無線通信を行ってもよい。
【００２１】
ここでの無線通信の方法は無線通信であれば特に限定されないが、代表的なものとしてブルートゥースによる無線通信が挙げられる。ブルートゥースは、近距離の無線通信方式の代表的なものであり、例えば携帯電話機とヘッドセットのブルートゥース規格の無線通信手段を備えた装置間を２．４ＧＨｚ帯域の微弱電波による無線通信リンクで接続し、音声やデータ等の信号を無線通信で送受信する。
【００２２】
図２は、無線通信機能付ヘッドセット２の具体的な構成を示すブロック図である。無線通信機能付ヘッドセット２は、例えば無線通信機能を内蔵したヘッドセット等である。無線通信機能付ヘッドセット２は、制御部２１、通信部２２、記憶部２３、表示部２４、入力部２５、通話部２６を備えている。
【００２３】
制御部２１は、無線通信機能付ヘッドセット２における各種制御を実行するものであり、ＣＰＵ（Central Processing Unit）等により構成される。通信部２２は、携帯電話機１との間で無線通信により音声及びデータの送受信を行う。ここでは、ブルートゥースによる無線通信方式の場合を例に挙げる。この場合、通信部２２は、ブルートゥースベースバンド２２１、ＲＦトランシーバ２２２、アンテナ２２３を備える。
【００２４】
ブルートゥースベースバンド２２１は、伝送パケットや無線通信のリンクの制御、伝送信号の誤り訂正や通信手順におけるセキュリティ制御などの処理を行うものである。ブルートゥースベースバンド２２１は、ブルートゥース無線通信システムにおける無線通信を制御するハードウェアと、それを利用するためのソフトウェアとの間にあるインターフェースであるＨＣＩ（Host Control Interface）を通じて制御部２１と接続されており、制御部２１とＨＣＩパケットの送受信を行うことにより、制御命令及びユーザデータを交換する。また、ブルートゥースベースバンド２２１は、ＲＦトランシーバ２２２とも接続されており、無線通信用のデータパケットの受け渡しを行う。
【００２５】
ＲＦトランシーバ２２２は、高周波処理部であり、ブルートゥースベースバンド２２１から受信した無線送信用データパケットを伝送前に所定の周波数帯域に変調及び増幅させる。また、ＲＦトランシーバ２２２は、周波数信号の雑音を除去する処理を実行した後、周波数帯域信号を増幅し、ダウンコンバートを行う。
【００２６】
アンテナ２２３は、ＲＦトランシーバ２２２と接続されており、パケットデータを外部へ電波として送信する。また、外部からの電波の受信を行う。
【００２７】
記憶部２３は、ＲＡＭ（Random Access Memory）等のメモリであり、着信履歴情報に含まれるデータを格納するための記憶手段である。ここでの着信履歴情報は、例えば、着信相手の氏名及び電話番号、着信時の日時、等である。記憶部２３は内蔵メモリでもよいし、着脱可能な外部記憶媒体などを利用してもよい。
【００２８】
表示部２４は、着信履歴の表示を行うための表示手段である。表示部２４は、液晶ディスプレイなどの表示履歴を詳しく伝えられるものが好ましいが、着信があったことを知らせるだけであれば、発光ダイオード等の光が点灯するだけのものでもよい。
【００２９】
入力部２５は、利用者が無線通信機能付ヘッドセット２への指示を入力するための入力手段である。指示の入力ができれば入力方法は限定されないが、キーボードや入力ボタン等の複数の指示を簡単に入力できる方法が好ましい。ここで入力する指示は、着信履歴情報の削除や、着信相手へ電話をかける指示、着信履歴情報の転送要求、等である。
【００３０】
通話部２６は、携帯電話機１を介して携帯電話機１の通話先と実際に音声による通話を行うためのものであり、マイク２６１、スピーカ２６２、オーディオコーデック２６３を備える。マイク２６１は音声を入力するためのものであり、入力された音声はアナログ音声信号に変換され、オーディオコーデック２６３へ出力される。スピーカ２６２は、オーディオコーデック２６３から入力したアナログ音声信号に基づき、実際の音声を出力するものである。オーディオコーデック２６３は、マイク２６１から入力したアナログ音声信号をデジタル音声信号に変換して制御部２１へ出力する。また、制御部２１から入力したデジタル音声信号をアナログ音声信号に変換して、スピーカ２６２へ出力する。
【００３１】
続いて、図３におけるシーケンス図を用いて、本発明の実施の形態１における無線通信システムの処理の流れについて説明する。ここでは、携帯電話機１は通話エリア圏内にあり、無線通信機能付ヘッドセット２との間の距離も無線通信が十分に行える距離の範囲内にあるものとする。
【００３２】
まず、携帯電話機１と無線通信機能付ヘッドセット２との間で通信を確立する（Ｓ１０１）。通信が確立することにより、いつでも携帯電話機１と無線通信機能付ヘッドセット２との間でデータの送受信を行うことが可能となる。
【００３３】
利用者が着信履歴を見たいときに、入力部２５から着信履歴表示要求の指示を入力する（Ｓ１０２）。入力部２５により入力された着信履歴表示要求指示は、制御部２１へと出力され、制御部２１は、着信履歴表示要求指示が入力されたと判断すると（Ｓ１０３）、着信履歴情報要求信号を生成し、着信履歴情報要求信号を含むパケットを通信部２２へ出力する。
【００３４】
通信部２２は、着信履歴情報要求信号を含むパケットを入力すると、ブルートゥースベースバンド２２１からＲＦトランシーバ２２２を介してアンテナ２２３により、着信履歴情報要求信号を含むパケットデータを送信する（Ｓ１０４）。
【００３５】
携帯電話機１は、着信履歴情報要求信号を含むパケットデータを受信すると、パケットデータの中に着信履歴情報要求信号が含まれていることを検知し、携帯電話機１内に格納されている着信履歴情報をパケットデータとして無線通信機能付ヘッドセット２へ送信する（Ｓ１０５）。
【００３６】
無線通信機能付ヘッドセット２は、アンテナ２２３よりパケットデータを受信し、ＲＦトランシーバ２２２からブルートゥースベースバンド２２１を介して制御部２１へ入力される。制御部２１は入力したパケットデータから着信履歴情報を取り出し、記憶部２３へ格納する（Ｓ１０６）。
【００３７】
制御部２１は、記憶部２３へ格納された着信履歴情報を読み出し、解析を行い、その内容に基づいて表示部２４に表示を行う（Ｓ１０７）。表示部が液晶ディスプレイの場合の表示画面のイメージは、図４のようになる。表示部が発光ダイオードの場合は、制御部２１は、着信があったかどうかの判定を行い、着信があった場合に発光ダイオードを点灯、または点滅させることにより利用者への着信通知を行うようにしてもよい。また、表示部２４の代わりに、スピーカ２６２から音声を出力するようにしてもよい。
【００３８】
このようにして、無線通信機能付ヘッドセット２により着信履歴情報を確認することができるようになり、携帯電話機を操作する手間をかけることなく、着信履歴情報を確認することが可能となる。
【００３９】
発明の実施の形態２．
更に、無線通信機能付ヘッドセット２は、入力部２５により着信履歴情報を削除できるようにしてもよい。図５は、着信履歴情報を削除するときの無線通信機能付ヘッドセット２の処理の流れを示すフローチャートである。
【００４０】
まず、入力部２５から着信履歴情報を削除する指示を入力する（Ｓ２０１）。この時、着信履歴情報に複数の着信履歴が記憶されている場合、削除する着信履歴情報を選択できるようにしてもよい。また、誤入力による削除を防止するために、削除する前に確認メッセージを表示し、本当に削除するかどうかを確認するようにしてもよい。表示部２４が液晶ディスプレイである場合、画面イメージは図６のようになる。
【００４１】
着信履歴情報を削除する指示が入力されると、着信履歴情報削除要求が制御部２１へ入力される。制御部２１は、入力部２５から着信履歴情報削除要求が入力されたかどうかを判定し（Ｓ２０２）、入力されたと判定した場合、記憶部２３に格納された着信履歴情報の削除を行う（Ｓ２０３）。
【００４２】
このようにして、利用者が入力することにより、着信履歴情報を削除することも可能である。無線通信機能付ヘッドセット２の着信履歴情報を削除した場合、携帯電話機１の着信履歴情報も連動して削除されるようにしてもよいし、携帯電話機１の着信履歴情報は残るようにしてもよい。
【００４３】
発明の実施の形態３．
更に、無線通信機能付ヘッドセット２は、入力部２５により着信履歴情報に記録された着信相手に電話をかけることができるようにしてもよい。図７は、着信相手に電話をかける場合の携帯電話機１及び無線通信機能付ヘッドセット２の処理の流れを示すシーケンス図である。通信確立及び着信履歴情報が表示されるまでの流れは、図３に示すシーケンス図と同様であり、ここでは説明を省略する。
【００４４】
着信履歴情報が表示部２４に表示されている状態で、利用者は入力部２５により電話をかける指示を入力する（Ｓ３０１）。この時、着信履歴情報に複数の着信履歴が記憶されている場合、電話をかける相手を着信履歴情報から選択できるようにしてもよい。また、誤入力による通話を防止するために、電話をかける前に確認メッセージを表示し、本当に電話をかけるどうかを確認するようにしてもよい。表示部２４が液晶ディスプレイである場合、画面イメージは図８のようになる。
【００４５】
電話をかける指示が入力されると、ダイヤル要求信号が制御部２１へ入力される。制御部２１は、入力部２５からダイヤル要求信号が入力されたかどうかを判定し（Ｓ３０２）、入力されたと判定した場合、通信部２２にダイヤル要求信号を含むパケットデータを出力する。通信部２２は、ダイヤル要求信号を含むパケットデータを入力すると、ブルートゥースベースバンド２２１からＲＦトランシーバ２２２を介してアンテナ２２３より携帯電話機１へダイヤル要求を含むパケットデータを送信する（Ｓ３０３）。
【００４６】
携帯電話機１は、無線通信機能付ヘッドセット２からパケットデータを受信すると、パケットの中にダイヤル要求信号が含まれていることを検知し、ダイヤルを開始する（Ｓ３０４）。
【００４７】
このようにして、利用者が無線通信機能付ヘッドセット２に入力することにより、携帯電話機１を操作することなく、着信相手と通話を行うことが可能となる。
【００４８】
その他の発明の実施の形態．
上述の例では、入力部や表示部をヘッドセットに内蔵していたが、これを外部に設け接続できるようにしてもよい。
【図面の簡単な説明】
【００４９】
【図１】本発明における無線通信システムの全体構成を示す図である。
【図２】本発明における無線通信機能付ヘッドセットの構成を示すブロック図である。
【図３】本発明における携帯電話機及び無線通信機能付ヘッドセットの処理の流れを示すシーケンス図である。
【図４】本発明における無線通信機能付ヘッドセットの表示部の画面イメージである。
【図５】本発明における無線通信機能付ヘッドセットの処理の流れを示すフローチャートである。
【図６】本発明における無線通信機能付ヘッドセットの表示部の画面イメージである。
【図７】本発明における携帯電話機及び無線通信機能付ヘッドセットの処理の流れを示すシーケンス図である。
【図８】本発明における無線通信機能付ヘッドセットの表示部の画面イメージである。
【符号の説明】
【００５０】
１      携帯電話機
２      無線通信機能付ヘッドセット
２１    制御部
２２    通信部
２２１  ブルートゥースベースバンド
２２２  トランシーバ
２２３  アンテナ
２３    記憶部
２４    表示部
２５    入力部
２６    通話部
２６１  マイク
２６２  スピーカ
２６３  オーディオコーデック
【図１】
2005323265.tif 000003
【図２】
2005323265.tif 000004
【図３】
2005323265.tif 000005
【図４】
2005323265.tif 000006
【図５】
2005323265.tif 000007
【図６】
2005323265.tif 000008
【図７】
2005323265.tif 000009
【図８】
2005323265.tif 000010